(57)【要約】【課題】  ＬＥＤからの光を効率的に利用でき、かつ、自然な漏れ光を容易に再現することが可能な照明装置を提供すること。【解決手段】  ＬＥＤと、光透過性基材に入射光の一部を透過させることが可能な反射面が形成された構成を有するリフレクタと、リフレクタの先端開口よりもＬＥＤ側に配置され、ＬＥＤからの光をリフレクタの方向に導く配光レンズとを備える照明装置。【選択図】  図１
2018147719.tif 000002
【特許請求の範囲】
【請求項１】
ＬＥＤと、
光透過性基材に、入射光の一部を透過させることが可能な反射面が形成された構成を有するリフレクタと、
前記リフレクタの先端開口よりも前記ＬＥＤ側に配置され、前記ＬＥＤからの光を前記リフレクタの方向に導く配光レンズとを備えることを特徴とする照明装置。
【請求項２】
前記配光レンズは、前記ＬＥＤからの光を、前記ＬＥＤの光軸から周方向に広げて前記リフレクタの方向に導くレンズであることを特徴とする請求項１に記載の照明装置。
【請求項３】
前記配光レンズは、前記ＬＥＤから遠ざかるにつれて内径が広がる傾斜面を有することを特徴とする請求項１又は２に記載の照明装置。
【請求項４】
前記配光レンズは、光軸方向に延びる円柱状部分を有し、
前記傾斜面は、前記円柱状部分の先端に形成された円錐状凹部であることを特徴とする請求項３に記載の照明装置。
【請求項５】
前記配光レンズは、前記ＬＥＤから遠ざかるにつれて先細る形状であり、かつ、光軸方向に溝が形成されていることを特徴とする請求項１又は２に記載の照明装置。
【発明の詳細な説明】
【技術分野】
【０００１】
本発明は、照明装置に関する。
【背景技術】
【０００２】
従来、商業施設や住宅におけるスポットライトとして、リフレクタ付きハロゲン電球が広く普及している。
【０００３】
従来のリフレクタ付きハロゲン電球は、リフレクタに椀状のガラス基材を用い、その内表面に反射膜を蒸着することが一般的であった。これは、反射膜を誘電体多層膜とし、可視光を反射させるとともに赤外光を透過させるためであり、これによりハロゲン電球からの赤外線を除去し、放熱性を高めている。
【０００４】
反射膜が設けられたガラス基材で構成されたリフレクタは、赤外線だけでなく、僅かに可視域の光も透過する。この透過した可視域の光、すなわち、漏れ光が空間全体を照らして空間の明るさを演出することから、このようなリフレクタ付きハロゲン電球は、スポットライトとして好まれている。
【０００５】
一方、近年、ハロゲン電球の代替光源としてＬＥＤ（ｌｉｇｈｔ  ｅｍｉｔｔｉｎｇ  ｄｉｏｄｅ）を用いたスポットライトの開発が進んでいる。ＬＥＤは出力波長が狭く、可視域の光だけを出力可能である。そのため、赤外線を除去する必要がないことから、リフレクタをガラス基材とする必要がない。このような背景から、従来、ＬＥＤ光源を用いた照明装置では、加工が容易で軽量な金属製（例えば、アルミニウム製）のリフレクタが使用されることが一般的である。しかしながら、金属製のリフレクタを用いると、リフレクタからの漏れ光が得られなくなり、空間の明るさを演出することができなくなるといった問題がある。
【０００６】
これに対して、従来、リフレクタの先端開口にフレネルレンズを設け、ＬＥＤからの光を反射してガラスリフレクタ方向へと導き、これにより、ハロゲン電球に近い配光を実現しようとしたＬＥＤランプが存在する（例えば、特許文献１参照）。
【０００７】
図１１は、従来のＬＥＤランプを模式的に示す断面図である。ＬＥＤランプ１００は、ＬＥＤ１０２と、ＬＥＤ１０２の前方且つＬＥＤ１０２を囲むように設けられた椀状のガラスリフレクタ１０４と、ガラスリフレクタ１０４のＬＥＤ１０２とは反対側の開口（先端開口）に設けられたフレネルレンズ１０６とを備える。ＬＥＤランプ１００では、フレネルレンズ１０６の溝が形成された面１０６ａに入射した光Ｍ１の一部がガラスリフレクタ１０４に向けて反射され、この反射された光Ｍ２がガラスリフレクタ１０４を透過して周方向に放射される。これにより、周方向への放射光量を増加させるものである。
【先行技術文献】
【特許文献】
【０００８】
【特許文献１】特開２０１４−３２９７２号公報
【発明の概要】
【発明が解決しようとする課題】
【０００９】
しかしながら、上記従来のＬＥＤランプは、フレネルレンズで反射した光をガラスリフレクタへと導くものであり、従来のハロゲン電球のように、光源からの光を直接ガラスリフレクタへ導くものではない。そのため、漏れ光の光量としては弱くなり、利用効率が悪いといった問題がある。
【００１０】
また、リフレクタの先端開口に設けられるフレネルレンズは、本来、前面に出射する光の配光をコントロールするためのものであり、フレネルレンズの溝の形状は、所望の配光が得られるように設計されるものである。たしかに、当該溝により、結果的にリフレクタに反射する光も存在し得るが、自然な漏れ光となるようにリフレクタ方向に的確に反射できているとはいえない。つまり、ハロゲン電球の場合と同等な自然な漏れ光が得られているとは到底いうことができない。さらに、前面に出射する光の配光が好適となるようにし、且つ、漏れ光が自然となるようにフレネルレンズを設計することは、設計上の制約が厳しく、現実的ではないといった問題がある。
【００１１】
本発明は上述した課題に鑑みてなされたものであり、その目的は、ＬＥＤからの光を効率的に利用でき、かつ、自然な漏れ光を容易に再現することが可能な照明装置を提供することにある。
【課題を解決するための手段】
【００１２】
本願発明者等は、下記の構成を採用することにより、前記の課題を解決できることを見出して本発明を完成させるに至った。
【００１３】
すなわち、本発明に係る照明装置は、
ＬＥＤと、
光透過性基材に、入射光の一部を透過させることが可能な反射面が形成された構成を有するリフレクタと、
前記リフレクタの先端開口よりも前記ＬＥＤ側に配置され、前記ＬＥＤからの光を前記リフレクタの方向に導く配光レンズとを備えることを特徴とする。
【００１４】
前記構成によれば、リフレクタの先端開口よりもＬＥＤ側に配置された配光レンズにより、ＬＥＤからの光を直接リフレクタに導くため、漏れ光の再現に光を効率的に利用することができる。
また、前記配光レンズは、自然な漏れ光となるようにさえ設計すればよい。そのため、設計が容易である。なお、前面に出射する光の配光のコントロールは、リフレクタの形状により行うことができる。そのため、前記配光レンズの設計においては、前面に出射する光の配光を考慮する必要はない。
このように、前記構成によれば、ＬＥＤからの光を効率的に利用でき、かつ、自然な漏れ光を容易に再現することができる。
【００１５】
前記構成において、前記配光レンズは、前記ＬＥＤからの光を、前記ＬＥＤの光軸から周方向に広げて前記リフレクタの方向に導くレンズであることが好ましい。
【００１６】
前記配光レンズが、前記ＬＥＤからの光を、前記ＬＥＤの光軸から周方向に広げて前記リフレクタの方向に導くレンズであると、より好ましい漏れ光を再現することができる。
【００１７】
前記構成において、前記配光レンズは、前記ＬＥＤから遠ざかるにつれて内径が広がる傾斜面を有していることが好ましい。
【００１８】
前記配光レンズが、前記ＬＥＤから遠ざかるにつれて内径が広がる傾斜面を有していると、前記傾斜面によりＬＥＤからの光を反射させて、好適にリフレクタの方向へと導くことが可能となる。
【００１９】
前記構成において、前記配光レンズは、光軸方向に延びる円柱状部分を有し、前記傾斜面は、前記円柱状部分の先端に形成された円錐状凹部であることが好ましい。
【００２０】
前記配光レンズが、光軸方向に延びる円柱状部分を有し、前記傾斜面が、前記円柱状部分の先端に形成された円錐状凹部であると、前記円錐状凹部により、ＬＥＤからの光をより多くリフレクタの方向へと導くことが可能となる。
【００２１】
前記構成において、前記配光レンズは、前記ＬＥＤから遠ざかるにつれて先細る形状であり、かつ、光軸方向に溝が形成されていてもよい。
【００２２】
前記配光レンズが、前記ＬＥＤから遠ざかるにつれて先細る形状であり、かつ、光軸方向に溝が形成されていると、ＬＥＤからの光を前記溝部分からリフレクタの方向へと導くことが可能となる。
【発明の効果】
【００２３】
本発明によれば、ＬＥＤからの光を効率的に利用でき、かつ、自然な漏れ光を容易に再現することが可能な照明装置を提供することができる。
【図面の簡単な説明】
【００２４】
【図１】第１実施形態に係る照明装置を模式的に示す斜視図である。
【図２】図１に示した照明装置のカバーを省略した状態を示す斜視図である。
【図３】図１に示した照明装置の縦断面図である。
【図４】図１に示した照明装置における光の進行方向を説明するための図である。
【図５】図１に示した照明装置の配光レンズの縦断面図である。
【図６】第２実施形態に係る照明装置を模式的に示す正面図である。
【図７】図６に示した照明装置の平面図である。
【図８】第３実施形態に係る照明装置を模式的に示す斜視図である。
【図９】図８に示した照明装置のカバーを省略した状態を示す斜視図である。
【図１０】図８に示した照明装置の縦断面図である。
【図１１】従来のＬＥＤランプを模式的に示す断面図である。
【発明を実施するための形態】
【００２５】
以下、本実施形態に係る照明装置について、図面を参酌しつつ、説明する。
【００２６】
［第１実施形態］
図１は、第１実施形態に係る照明装置を模式的に示す斜視図であり、図２は、図１に示した照明装置のカバーを省略した状態を示す斜視図であり、図３は、図１に示した照明装置の縦断面図であり、図４は、図１に示した照明装置における光の進行方向を説明するための図であり、図５は、図１に示した照明装置の配光レンズの縦断面図である。図１〜図３に示すように、第１実施形態に係る照明装置１０は、光源ユニット２０と、その後方に設けられた筐体４０と、カバー６０を備える。
【００２７】
筐体４０は、筐体上部４２と筐体下部４４とから構成されており、筐体上部４２と筐下部４４とはネジ４６によりネジ止めされている。筐体４０の内部には、電源ケース４８が納められている。また、筐体４０の後方には、口金５０が設けられている。
【００２８】
カバー６０は、円筒状であり、光源ユニット２０と筐体４０との接続部分を覆うように配置されている。カバー６０は、筐体上部４２に、ネジ６２によりネジ止めされている。
【００２９】
光源ユニット２０は、ＬＥＤ２２と、リフレクタ２４と、配光レンズ２６とを備える。
【００３０】
ＬＥＤ２２は、筐体上部４２の上面に取り付けられた基板２５に実装されている（図３参照）。
【００３１】
配光レンズ２６は、ＬＥＤ２２の前方、かつ、リフレクタ２４の先端開口２４ａよりもＬＥＤ２２側に配置されている。
【００３２】
配光レンズ２６は、光軸方向に延びる円柱状部２８と、平板部３０とを備える（図５参照）。円柱状部２８と平板部３０とは、一体構造で成形してもよいし、別体構造のものを一体化させたものであってもよい。
【００３３】
円柱状部２８の光軸上の先端には、円錐状凹部３２が形成されている。円錐状凹部３２は、後方のＬＥＤ２２から配光レンズ２６に入射した光Ｌ１が、そのまま円柱状部２８の先端から前方に出射されることなく、全反射されるような傾斜面で構成されている（図４参照）。反射された光は、リフレクタ２４の方向に導かれるように設計されている。具体的には、前記傾斜面（円錐状凹部３２）により反射される光は、ＬＥＤ２２の光軸を中心として周方向に広げられるよう構成されている。これにより好ましい漏れ光を再現することができる。なお、円錐状凹部３２は、ＬＥＤ２２から入射された光のすべてを反射できることが好ましいが、すべての光を反射できることまでは要しない。例えば、配光レンズ２６は、ＬＥＤ２２から入射された光のうちの６０％以上をリフレクタに導ければよい。
【００３４】
平板部３０のＬＥＤ２２に対向する側の面には、ＬＥＤ２２側に向かって凸形状の入光面３６が形成されている。入光面３６の外周には環状溝３８が形成されており、環状溝３８の外側面３９は、傾斜面で構成されている。この凸形状の入光面３６により、ＬＥＤ２２からの光が円錐状凹部３２に向かうように集光された後、リフレクタ２４側に効率的に反射される。
【００３５】
図５に示す配光レンズ２６の具体的な一数値例は以下の通りである。
平板部３０：直径（Ｄ１）φ２８．９ｍｍ、厚み（Ｔ２）２．５ｍｍ
円柱状部２８：直径（Ｄ２）φ１６．４ｍｍ、長さ（Ｔ１）７．６ｍｍ、法面角度（θ２）９９度
円錐状凹部３２：開口径（Ｄ３）φ１４ｍｍ、深さ（Ｈ１）６．６ｍｍ、頂角（θ１）９０度
入光面３６：凸面形状、曲率半径（Ｒ）４４ｍｍ、直径（Ｄ４）φ１１．３ｍｍ
環状溝３８：外径（Ｄ５）φ１６ｍｍ、深さ（Ｈ２）１．７ｍｍ、傾斜面の角度（θ３）１４５度
【００３６】
リフレクタ２４は、ＬＥＤ２２の前方に設けられており、中心軸が配光レンズ２６の中心軸と重なるように配置されている。リフレクタ２４の形状は、碗状であり、ＬＥＤ２２側に入光側開口を有するとともに、ＬＥＤ２２とは反対側に先端開口２４ａを有している。なお、リフレクタ２４の形状は、前面に出射させる光の配光を考慮して適宜設計可能である。
【００３７】
リフレクタ２４は、ガラス基材の内周面全面に誘電多層膜で構成されるダイクロイック膜が形成された構成である。つまり、リフレクタ２４では、ダイクロック膜により反射面２４ｂが形成されている。前記ガラス基材は、本発明の光透過性基材に相当する。また、前記ダイクロック膜は、本発明の反射面（入射光の一部を透過させることが可能な反射面）に相当する。反射面２４ｂには、本実施形態のようにファセットが形成されていてもよく、形成されていなくてもよい。
なお、前記反射面は、ＬＥＤからの光の一部を透過させることにより、漏れ光を作り出すものであるが、通常、照明用のＬＥＤは、赤外線を含まない。従って、本発明の反射面は、赤外線を透過させるような機能を備える必要がない。従来のハロゲン電球に用いられるリフレクタは、放熱等のために赤外線を透過させる機能を必要としているが、本発明の反射面は、このような機能を必要としない点でハロゲン電球のリフレクタとは異なる。ただし、本発明の反射面は、赤外線を透過させる機能を有していてもよい。
【００３８】
リフレクタ２４は、筐体上部４２とカバー６０との間に挟持された金属製の３つの爪状部材７０により固定されている。爪状部材７０は、下端側にＵ字状の折り返し部７１が形成されている。具体的に、折り返し部７１は、Ｕの字の開口が外周方向を向く方向に形成されている。
折り返し部７１の下端側には、穴７２（図２参照）が形成されており、カバー６０に設けられた突起６０ａ（図３参照）が穴７２に貫挿された状態で、筐体上部４２とカバー６０との間に挟持されている。これにより、爪状部材７０の位置決めがされるとともに、円周方向への移動が抑制されている。爪状部材７０の上端側には、鉤状の係止部７４が形成されており、リフレクタ２４の先端開口側の外周に係止されている。
【００３９】
配光レンズ２６の下端面外周部と、爪状部材７０の折り返し部７１の上端側の上面との間には、環状の緩衝部材７６が配置されている。照明装置１０の組み立てにおいては、リフレクタ２４及び配光レンズ２６以外の部材が先にくみ上げられ、最後に、配光レンズ２６が予め取り付けられたリフレクタ２４を所定位置に配置することにより完成する。具体的には、爪状部材７０を外方向に押し広げた状態でリフレクタ２４を筐体４０側に押し込んで、係止部７４にリフレクタ２４の先端開口側の外周を係止する。この組み立ての際、すなわち、リフレクタ２４を筐体４０側に押し込んだ際、リフレクタ２４等に負荷がかかり、割れ等の破損のおそれがある。しかしながら、本実施形態では、緩衝部材が配置されているため、リフレクタ２４を筐体４０側に押し込んだ際に、負荷を緩和させることができ、割れ等の発生を抑制することができる。
【００４０】
以上、照明装置１０によれば、リフレクタ２４の先端開口２４ａよりもＬＥＤ２２側に配置された配光レンズ２６により、ＬＥＤ２２からの光を直接リフレクタ２４に導くため、漏れ光の再現に光を効率的に利用することができる。
また、配光レンズ２６は、自然な漏れ光となるようにさえ設計すればよい。そのため、設計が容易である。なお、前面に出射する光の配光のコントロールは、リフレクタ２４の形状により行うことができる。そのため、配光レンズ２６の設計においては、前面に出射する光の配光を考慮する必要はない。
このように、照明装置１０によれば、ＬＥＤからの光を効率的に利用でき、かつ、自然な漏れ光を容易に再現することができる。
【００４１】
以上第１実施形態に係る照明装置１０について説明した。
【００４２】
上述の実施形態では、配光レンズ２６に円錐状凹部３２が形成されており、円錐状凹部３２により、ＬＥＤ２２から入射された光をリフレクタ２４の方向に反射する場合について説明した。しかしながら、本発明に係る配光レンズは、この例に限定されず、ＬＥＤから遠ざかるにつれて内径が広がる傾斜面を有していればよい。例えば、本発明の配光レンズは、円錐状凹部３２の代わりに、円錐台状の凹部、角錐状の凹部、及び、角錐台状の凹部のいずれかを備える構成であってもよい。前記円錐台状の凹部、前記角錐状の凹部、前記角錐台状の凹部であっても、円錐状凹部３２と同様、傾斜面によりＬＥＤから入射された光を反射することができるからである。
【００４３】
前記傾斜面は、ＬＥＤからの光がリフレクタの反射面全体に導かれるように構成されていることが好ましい。リフレクタの反射面全体に導かれるように構成されていれば、より自然な漏れ光を演出することができるからである。ただし、本発明において傾斜面は、この例に限定されず、ＬＥＤからの光が少なくともリフレクタの反射面の一部に導かれるように構成されていればよい。例えば、ＬＥＤからの光がリフレクタの根元（ＬＥＤ側）付近に導かれ、リフレクタの先端開口付近には、導かれない構成であってもよい。ＬＥＤからの光が、少なくとも、リフレクタの根元（ＬＥＤ側）付近に導かれれば、自然な漏れ光に近づけることができるからである。
【００４４】
前記傾斜面により反射される光は、リフレクタの反射面全体に導かれるように構成されていることが好ましい。リフレクタ２４の全体に反射するように構成されていれば、より自然な漏れ光を演出することができるからである。
【００４５】
上述の本実施形態では、配光レンズが、ＬＥＤから遠ざかるにつれて内径が広がる傾斜面を有する場合について説明した。しかしながら、本発明に係る配光レンズは、ＬＥＤからの光を、前記ＬＥＤの光軸から周方向に広げて前記リフレクタの方向に導くことができれば、この例に限定されない。
【００４６】
上述の本実施形態では、本発明の光透過性基材がガラス基材である場合について説明したが、本発明の光透過性基材は、この例に限定されず、例えば、ＬＥＤからの光に対して透明な樹脂からなる基材であってもよい。
また、本実施形態では、本発明の反射面がダイクロック膜である場合について説明したが、本発明の反射面は、入射光の一部を透過させることが可能であれば、この例に限定されない。
【００４７】
また、上述の実施形態では、光透過性基材（ガラス基材）の内周面全面に反射面（ダイクロイック膜）が形成された構成である場合について説明したが、本発明のリフレクタは、この例に限定されず、光透過性基材の内周面の少なくとも一部に反射面が形成されていればよい。例えば、ＬＥＤからの光が到達しない又はＬＥＤから到達する光の量が少ない部分があるのであれば、当該部分には反射面を形成しないこととしてもよい。ただし、光透過性基材の全面に反射面が形成されていることが好ましい。
また、上述の実施形態では、光透過性基材（ガラス基材）の内周面に反射面（ダイクロイック膜）が形成された構成である場合について説明したが、光透過性基材の外周面に反射面が形成された構成であってもよい。
【００４８】
［第２実施形態］
第２実施形態に係る照明装置は、第１実施形態に係る照明装置と比較すると、配光レンズの形状が異なる点で相違し、その他の点で共通する。従って、以下では、配光レンズの形状について詳しく説明し、共通する部分については、説明を省略する。
【００４９】
図６は、第２実施形態に係る照明装置を模式的に示す正面図であり、図７は、図６に示した照明装置の平面図である。なお、図６、図７では、配光レンズ以外については簡略化又は、省略して図示している。
【００５０】
第２実施形態に係る照明装置８０は、ＬＥＤ８２と配光レンズ８６とリフレクタ８４とを備える。
【００５１】
第２実施形態に係る照明装置８０では、ＬＥＤ８２と、ＬＥＤ８２の前方に設けられた配光レンズ８６とが一体化されたＬＥＤユニット８５となっている。なお、照明装置８０は、ＬＥＤ８２と配光レンズ８６とが一体化されたＬＥＤユニットとなっている点、及び、配光レンズの形状が異なる点以外については、第１実施形態に係る照明装置１０と同様とすることができるから、ここでの説明は省略する。リフレクタ８４についても、照明装置１０のリフレクタ２４と同様としてもよく、前記ＬＥＤユニットの配光特性等に応じて、適宜、設計変更してもよい。
【００５２】
配光レンズ８６は、ＬＥＤ８２から遠ざかるにつれて先細る形状である。具体的に、配光レンズ８６は、ＬＥＤ８２側にあり、わずかに先細る形状のテーパ部９０と、テーパ部９０から先端側（ＬＥＤ８２から遠ざかる側）に向けてさらに先細るテーパ部９２とを有する。テーパ部９２は、テーパ部９０よりも急な勾配となっている。
また、配光レンズ８６には、光軸方向に溝９４が形成されている。溝９４は、円周方向に等間隔に複数（本実施形態では８つ）形成されている。また、配光レンズ８６の先端は、平坦部９６となっている。
【００５３】
照明装置８０では、ＬＥＤ８２からの光Ｌ２の一部は、溝９４から周方向外側に出射し、リフレクタの反射面に導かれることになる（図７参照）。ＬＥＤ８２からの光を直接的にリフレクタ８４に導くため、漏れ光の再現に光を効率的に利用することができる。
特に、照明装置８０では、わずかに先細る形状のテーパ部９０を有している。わずかに先細る形状のテーパ部９０がＬＥＤ８２側に形成されているため、ＬＥＤ８２からの光を、よりリフレクタ８４の根元（ＬＥＤ側）方向に導くことができる。これにより、より自然な漏れ光を再現することが可能となる。
【００５４】
上述の実施形態では、配光レンズ８６の形状が角錐台状であり、かつ、溝が形成された形状である場合について説明したが、第２実施形態に係る配光レンズの形状は、この例に限定されず、円錐台状、角錐状、及び、円錐状のいずれかであり、かつ、溝が形成された形状であってもよい。また、溝の本数についても、適宜設定することができるが、周方向に均一な漏れ光とする観点から、周方向に等間隔に形成されていることが好ましい。
【００５５】
上述の実施形態では、溝９４が配光レンズの光軸方向全体に形成されている場合について説明したが、一部であってもよい。例えば、溝がＬＥＤ側から途中までのみ形成され、その先の先端側には、形成されていない構成としてもよい（例えば、配光レンズ８６において、テーパ部９０のみ形成されテーパ部９２が形成されていないような構成）。このような構成であっても、少なくともＬＥＤの光をリフレクタの根元（ＬＥＤ側）方向に導くことができる。これにより、自然な漏れ光を再現することが可能となる。
【００５６】
［第３実施形態］
第３実施形態に係る照明装置は、第１実施形態に係る照明装置と比較すると、爪状部材の形状、及び、リフレクタの係止される場所が異なる点で相違し、その他の点で共通する。具体的に、第１実施形態に係る照明装置１０では、３つの爪状部材７０をリフレクタ２４の先端開口側の外周に係止させてリフレクタ２４を固定しているが、第３実施形態に係る照明装置９７では、３つの爪状部材９８の長さが第１実施形態に係る爪状部材７０よりも短く、リフレクタ９９の外周面下側に設けられた凹溝９９ａに係止させてガラスリフレクタ９９を固定している点で相違し、その他の点で共通する。従って、以下では、爪状部材９８及びリフレクタ９９について詳しく説明し、共通する部分については、説明を省略する。また、共通する構成については、同一の符号を付している。
【００５７】
図８は、第３実施形態に係る照明装置を模式的に示す斜視図であり、図９は、図８に示した照明装置のカバーを省略した状態を示す斜視図であり、図１０は、その縦断面図である。第３実施形態に係る照明装置９７は、光源ユニット２１と、その後方に設けられた筐体４０と、カバー６０とを備える。筐体４０とカバー６０については、照明装置１０と同一であるからここでの説明は省略する。
【００５８】
光源ユニット２１は、ＬＥＤ２２と、リフレクタ９９と、配光レンズ２６とを備える。ＬＥＤ２２と配光レンズ２６については、照明装置１０と同一であるからここでの説明は省略する。
【００５９】
リフレクタ９９は、外周面下側に凹溝９９ａが設けられている。なお、ガラスリフレクタ９９は、凹溝９９ａが設けられている以外は、第１実施形態に係るガラスリフレクタ２４と同様の構成である。
【００６０】
リフレクタ９９は、筐体上部４２とカバー６０との間に矜持された金属製の３つの爪状部材９８により固定されている。爪状部材９８は、第１実施形態の爪状部材７０と同様の形状のＵ字状の折り返し部と、前記折り返し部からリフレクタ９９の下側に設けられた凹溝９９ａまで延びる延設部９８ａと、延設部９８ａから連続的に形成された係止部９８ｂとを有する。照明装置９７では、リフレクタ９９を、リフレクタ９９の外周面下側に設けられた凹溝９９ａに爪状部材９８の係止部９８ｂを係止させてリフレクタ９９を固定している。
【００６１】
以上、本発明の実施形態について説明したが、本発明は、上述した例に限定されるものではなく、本発明の構成を充足する範囲内で、適宜設計変更を行うことが可能である。
【符号の説明】
【００６２】
１０、９７  照明装置
２０、２１  光源ユニット
２２  ＬＥＤ
２４、９９  リフレクタ
２４ａ  先端開口
２４ｂ  反射面
２５  基板
２６  配光レンズ
２８  円柱状部
３０  平板部
３２  円錐状凹部
３６  入光面
３８環状溝
３９  外側面
４０  筐体
５０  口金
６０  カバー
６０ａ  突起
７０、９８  爪状部材
７２  穴
７４  係止部
７６  緩衝部材
８０  照明装置
８２  ＬＥＤ
８４  リフレクタ
８５  ＬＥＤユニット
８６  配光レンズ
９０  テーパ部
９２  テーパ部
９４  溝
９６  平坦部
【図１】
2018147719.tif 000003
【図２】
2018147719.tif 000004
【図３】
2018147719.tif 000005
【図４】
2018147719.tif 000006
【図５】
2018147719.tif 000007
【図６】
2018147719.tif 000008
【図７】
2018147719.tif 000009
【図８】
2018147719.tif 000010
【図９】
2018147719.tif 000011
【図１０】
2018147719.tif 000012
【図１１】
2018147719.tif 000013